(57)【特許請求の範囲】
【請求項１】
磁気回路の磁気ギャップにはまりこむボイスコイルを結合した細長形状の振動板に結合したダンパー接合リブと、このダンパー接合リブの他端に結合される少なくとも長手方向の２辺に直線状部を設けた複数の細長で椀状のロールで構成されたダンパーと、このダンパーを固着するフレームとの間に前記ダンパーの外周直線状部とロール部の立上り部とが固着されるダンパー接着用のスペーサを前記フレームと別体に設けたスピーカ。
【発明の詳細な説明】
【０００１】
【発明の属する技術分野】
本発明は映像・音響機器等に使用される細長形状のスピーカに関するものである。
【０００２】
【従来の技術】
従来のスピーカを図６、図７により説明する。図６は従来の細長形状のスピーカの要部である振動部材の斜視図であり、図７は同要部であるダンパー固着部を部分拡大して示した断面図である。同図によると、１はスリムな細長形状に構成され長手方向に直線状部を有する椀状の振動板、２は振動板１の内壁部に長手方向に交差する方向に一対設けられたダンパー接合リブ、３は長手方向の２辺に直線状部を設けた細長で椀状のロールで構成されたダンパー、４は振動板１の外周部に接合される細長形状のエッジである。また、５はダンパー３を固着するフレームである。
【０００３】
以上のように構成された従来の細長形状のスピーカにおける支持部の動作について説明すると、ダンパー接合リブ２の端面に接合されたダンパー３の他端面はフレーム５に固着されており、また、振動板１の外周部はエッジ４を介してフレーム５に固着され、スピーカの支持系は構成されている。ここで、振動板１が上方向に振幅した際は、ダンパー３はダンパー接合リブ２に引張られＡ部を支点として矢印Ｂの方向に力が働き、ダンパー３は３ａの位置に変形して移動することになる。
【０００４】
【発明が解決しようとする課題】
しかしながら、上記従来のスピーカには次のような問題点があった。即ち、ダンパー３はＡ部を支点としてＣの方向に力が加わり、振動板１の振幅に対し常にＡ部が屈曲されることになる。
【０００５】
その結果、振動板１を支持しているエッジ４の外周固着部に比較して、ダンパー３とフレーム５の固着部は非常に小さいため、この部分に屈曲の疲労が集中してしまうという欠点を有していた。即ち、スピーカの最低共振周波数を下げすぎるとダンパー３のＡ部が破れるため、低域再生帯域に限界があった。さらに、スピーカの耐入力を高く設定した場合においても同様の現象が発生してしまうといった課題があった。
【０００６】
本発明は以上のような課題を解決することを目的とするものである。
【０００７】
【課題を解決するための手段】
上記課題を解決するために本発明のスピーカは、磁気回路の磁気ギャップにはまりこむボイスコイルを結合した細長形状の振動板に結合したダンパー接合リブと、このダンパー接合リブの他端に結合される少なくとも長手方向の２辺に直線状部を設けた複数の細長で椀状のロールで構成されたダンパーと、このダンパーを固着するフレームとの間に、前記ダンパーの外周直線状部とロール部の立上り部とが固着されるダンパー接着用のスペーサを前記フレームと別体に設け、前記フレームに固着する構成としたものであり、この構成によって、スピーカの寿命の拡大、低音域特性の向上、耐入力の向上を図るものである。
【０００８】
【発明の実施の形態】
本発明の請求項１記載のスピーカは、磁気回路の磁気ギャップにはまりこむボイスコイルを結合した細長形状の振動板に結合したダンパー接合リブと、このダンパー接合リブの他端に結合される少なくとも長手方向の２辺に直線状部を設けた複数の細長で椀状のロールで構成されたダンパーと、このダンパーを固着するフレームとの間に、前記ダンパーの外周直線状部とロール部の立上り部とが固着されるダンパー接着用のスペーサを前記フレームと別体に設け、前記フレームに固着する構成としたことにより、ダンパー固着部の破損強度が向上し、スピーカの寿命の拡大、低音域特性の向上、耐入力の向上を図ることができるものである。
【０００９】
以下、本発明の一実施の形態について図１〜図５により説明する。なお、説明にあたっては従来技術と同一部品は同一番号を付与して説明する。
【００１０】
（実施の形態１）
図１は本発明のスピーカの一実施の形態の平面図であり、図２は図１のＤ−Ｄ断面図であり、図３は同展開例の平面図であり、図４は図３のＥ−Ｅ断面図であり、図５は要部であるダンパー固着部の拡大断面図である。
【００１１】
同図によると、１はスリムな細長形状に構成された長手方向に直線状部を有する椀状の振動板、２は振動板１の内壁部に長手方向に交差する方向に複数設けられたダンパー接合リブ、３は長手方向の２辺に直線状部を設けた細長で椀状のロールで構成されたダンパー、４は振動板１の外周部に接合された細長形状のエッジ、５はエッジ４の外周部を固着支持した細長形状のフレーム、６はダンパー３の外周直線状部とロール部の立上り部とを固着しかつフレーム５に固着される前記フレームと別体に設けたスペーサ、７は振動板１の下部に接合された細長形状のボイスコイル、８はボイスコイル７が挿入される磁気回路である。
【００１２】
以上のように構成された実施の形態のスピーカにおける支持部の動作について詳細に説明すると、振動板１の下部に設けたダンパー接合リブ２の端面はダンパー３の中央部に接合され、前記ダンパー３の他端部とフレーム５を固着するに際しダンパー３の外周直線状部とロール部の立上り部とが固着できる構成としたフレーム５と別体に設けたスペーサ６を介して固着されており、また、振動板１の外周部はエッジ４を介してフレーム５に固着されている。
【００１３】
ここで、振動板１が上方向に振幅した際は、ダンパー３はダンパー接合リブ２に引張られ矢印Ｆの方向にダンパー３は変形しながら変位し、３ｂのようなダンパー形状となるが、フレーム５と別体に設けたスペーサ６を介してフレーム５に固着する構成としたことで、ダンパー３の立上り部のＡ部に屈曲する力が加わらなくなり、ダンパー３には常にＧの方向に変位する力が加わることになる。
【００１４】
即ち、ダンパー３の変位はダンパー３のロール部全体で吸収される構成となり、大振幅時の疲労も少なくなることから、スピーカの寿命の拡大、低音域特性の向上、耐入力の向上が図れるスピーカを提供することが可能となるものである。
【００１５】
なお、図３、図４は本実施の形態の展開例であり、コーン形の振動板を用いたものであり、９はスリムな細長形状に構成された長手方向に直線状部を有するコーン形の振動板、１０はダストキャップ、１１は振動板９の中央部に接合された丸形のボイスコイル、１２はボイスコイル１１が挿入される磁気回路である。
【００１６】
支持部の動作、フレーム５と別体に設けたスペーサ６による効果は図１、図２の実施の形態のものと変わらないので説明は省略する。
【００１７】
【発明の効果】
以上のように本発明は、細長形状のスピーカにあって、長手方向の２辺に直線状部を設けた複数の細長で椀状のロールで構成されたダンパーのロール部の立上り部をフレームと別体に設けたスペーサを介して一部フレームに固着する構成とすることにより、ダンパーの寿命を大幅に向上させることが可能となり、これにより耐入力の向上、低域再生帯域の拡大を可能にするスピーカが実現できるものである。
【図面の簡単な説明】
【図１】  本発明の一実施の形態のスピーカの平面図
【図２】  同側断面図
【図３】  同展開例の平面図
【図４】  同断面図
【図５】  同要部であるダンパー固着部の拡大断面図
【図６】  従来の細長構造のスピーカの要部である振動部材の斜視図
【図７】  同要部であるダンパー固着部の拡大断面図
【符号の説明】
１  振動板
２  ダンパー接合リブ
３  ダンパー
４  エッジ
５  フレーム
６  スペーサ
９  振動板
【図１】
0003787992.tif 000002
【図２】
0003787992.tif 000003
【図３】
0003787992.tif 000004
【図４】
0003787992.tif 000005
【図５】
0003787992.tif 000006
【図６】
0003787992.tif 000007
【図７】
0003787992.tif 000008